(57)【要約】【課題】コストアップを来すことなく適度な剥がれ易さを得ることができ、携帯にも便利で且つ室内の小範囲のゴミ取りにも適した簡易ゴミ取り具及び簡易ゴミ取り具の製造方法を提供する。【解決手段】片面の全面に粘着剤が塗布された、紙材を基材とした粘着シート７をロール状に巻回した市販の粘着ロール３を繰り出しながら粘着面にインキローラ１１により紫外線硬化性インキをドットパターンで点在する状態に付与し、これを紫外線ランプ１５で硬化させる。その後、回転刃１９でミシン目を入れ、非粘着面が外側となるように巻き取り軸９でロール状に巻き取って簡易ゴミ取り具１を作製する。簡易ゴミ取り具１は、外径が携帯に便利なサイズとなった段階で切り離されて製品となる。ロール状態から粘着シート７を繰り出してミシン目で切り離すことにより、矩形の粘着シートとして使用することができる。【選択図】  図１
2019097581.tif 000002
【特許請求の範囲】
【請求項１】
シート状の基材と、該基材の一方の面の全面に塗布された粘着層と、該粘着層の表面を覆う剥離材とを備え、前記粘着層の表面に非粘着材が点在状態で設けられていることを特徴とする簡易ゴミ取り具。
【請求項２】
請求項１に記載の簡易ゴミ取り具において、
前記基材が紙材からなり、該基材の他方の非粘着面を前記剥離材として且つ該他方の面が外側となるようにロール状に巻回され、繰り出し方向に所定長さ間隔で切り取り線が設けられていることを特徴とする簡易ゴミ取り具。
【請求項３】
請求項１又は２に記載の簡易ゴミ取り具において、
前記非粘着材がドットパターン状に設けられていることを特徴とする簡易ゴミ取り具。
【請求項４】
シート状の紙材からなる基材の一方の面の全面に粘着層を有してロール状に巻回された粘着シートを繰り出しながら前記粘着層の表面に非粘着材を点在状態に付与する工程と、前記基材の他方の非粘着面が外側となるようにロール状に巻き取る工程とを含むことを特徴とする簡易ゴミ取り具の製造方法。
【請求項５】
請求項４に記載の簡易ゴミ取り具の製造方法において、
繰り出し方向に所定長さ間隔で該繰り出し方向と直交する方向に切り取り線を入れる工程を含むことを特徴とする簡易ゴミ取り具の製造方法。
【請求項６】
請求項５に記載の簡易ゴミ取り具の製造方法において、
少なくとも前記切り取り線を入れる前に前記粘着層に剥離可能な台紙を貼り合わせ、前記切り取り線を入れた後に前記台紙を前記粘着層から剥離して巻き取る工程を含むことを特徴とする簡易ゴミ取り具の製造方法。
【請求項７】
請求項４から６のいずれかに記載の簡易ゴミ取り具の製造方法において、
非粘着材を点在状態に付与する工程が、紫外線硬化性インキをドットパターンで印刷する工程と、前記紫外線硬化性インキを硬化させる工程とを含むことを特徴とする簡易ゴミ取り具の製造方法。
【請求項８】
請求項７に記載の簡易ゴミ取り具の製造方法において、
前記基材の他方の非粘着面に紫外線硬化性インキをドットパターンで印刷する工程と、前記紫外線硬化性インキを硬化させる工程とを含むことを特徴とする簡易ゴミ取り具の製造方法。
【発明の詳細な説明】
【技術分野】
【０００１】
本発明は、衣服に付いた埃やフケ、テーブル等の表面の少量のゴミ等を取るための簡易ゴミ取り具及び該簡易ゴミ取り具の製造方法に関するものである。
【背景技術】
【０００２】
外出時において衣服に付いた埃やフケ、糸屑等が気になることがあるが、手で掃うだけでは容易に落ちないことも少なくない。その対策の一例として、特許文献１には、ポケットやバッグに入れて携帯できる簡易ゴミ取り具が提案されている。
この簡易ゴミ取り具は、片面が粘着面である所定の大きさのシートを、その粘着面が下のシートの非粘着面に重なるようにして複数枚積層し、必要時上から順に剥がして使い捨てで使用するものである。
【０００３】
室内のカーペット等のゴミを取る道具としては、掃除機や柄付きのロール状の粘着シートが知られている。
【先行技術文献】
【特許文献】
【０００４】
【特許文献１】実用新案登録第３０２８９９３号公報
【特許文献２】実用新案登録第３２０８０１２号公報
【発明の概要】
【発明が解決しようとする課題】
【０００５】
特許文献１に記載の簡易ゴミ取り具のように、シートの一面（片面）全体が粘着面としてなる構成では、上のシートの粘着面と下のシートの非粘着面との接着力が強すぎて容易に剥がれない場合がある。この問題を解消するために、粘着面の粘着力を低下させたり、非粘着面の剥離性を高める加工を施したりすることも一案である。しかしながら、粘着力や剥離性を適度なものに調整することは化学的な処方も必要になるなど、携帯で簡易な道具の観点からすればコストアップを招来して実際的ではない。
【０００６】
日常生活において、カーペットやテーブルの表面に付いた小範囲且つ少量のゴミを簡単に取り除きたい場合が往々にしてあるが、このようなケースでは掃除機を使うことは面倒であり、柄付きの粘着ロールの一周面分を使う程でもない。
このようなケースで上記の簡易ゴミ取り具を用いてゴミを取る場合、その粘着力が強すぎると、例えばテーブルの表面にシートの一部が破れて残り、除去するのに手間が掛かるということがあった。
【０００７】
本発明は上記従来の問題点に着目して創案されたもので、コストアップを来すことなく適度な剥がれ易さを得ることができ、携帯にも便利で且つ室内の小範囲のゴミ取りにも適した簡易ゴミ取り具及び簡易ゴミ取り具の製造方法の提供を、その目的とする。
【課題を解決するための手段】
【０００８】
本発明は、上記目的を達成するために為されたものであり、請求項１の発明は、シート状の基材と、該基材の一方の面の全面に塗布された粘着層と、該粘着層の表面を覆う剥離材とを備え、前記粘着層の表面に非粘着材が点在状態で設けられていることを特徴とする簡易ゴミ取り具である。
【０００９】
請求項２に記載の発明は、請求項１に記載の簡易ゴミ取り具において、前記基材が紙材からなり、該基材の他方の非粘着面を前記剥離材として且つ該他方の面が外側となるようにロール状に巻回され、繰り出し方向に所定長さ間隔で切り取り線が設けられていることを特徴とする簡易ゴミ取り具である。
【００１０】
請求項３に記載の発明は、請求項１又は２に記載の簡易ゴミ取り具において、前記非粘着材がドットパターン状に設けられていることを特徴とする簡易ゴミ取り具である。
【００１１】
請求項４に記載の発明は、シート状の紙材からなる基材の一方の面の全面に粘着層を有してロール状に巻回された粘着シートを繰り出しながら前記粘着層の表面に非粘着材を点在状態に付与する工程と、前記基材の他方の非粘着面が外側となるようにロール状に巻き取る工程とを含むことを特徴とする簡易ゴミ取り具の製造方法である。
【００１２】
請求項５に記載の発明は、請求項４に記載の簡易ゴミ取り具の製造方法において、繰り出し方向に所定長さ間隔で該繰り出し方向と直交する方向に切り取り線を入れる工程を含むことを特徴とする簡易ゴミ取り具の製造方法である。
【００１３】
請求項６に記載の発明は、請求項５に記載の簡易ゴミ取り具の製造方法において、少なくとも前記切り取り線を入れる前に前記粘着層に剥離可能な台紙を貼り合わせ、前記切り取り線を入れた後に前記台紙を前記粘着層から剥離して巻き取る工程を含むことを特徴とする簡易ゴミ取り具の製造方法である。
【００１４】
請求項７に記載の発明は、請求項４から６のいずれかに記載の簡易ゴミ取り具の製造方法において、非粘着材を点在状態に付与する工程が、紫外線硬化性インキをドットパターンで印刷する工程と、前記紫外線硬化性インキを硬化させる工程とを含むことを特徴とする簡易ゴミ取り具の製造方法である。
【００１５】
請求項８に記載の発明は、請求項７に記載の簡易ゴミ取り具の製造方法において、前記基材の他方の非粘着面に紫外線硬化性インキをドットパターンで印刷する工程と、前記紫外線硬化性インキを硬化させる工程とを含むことを特徴とする簡易ゴミ取り具の製造方法である。
【発明の効果】
【００１６】
本発明によれば、コストアップを来すことなく適度な剥がれ易さを得ることができ、携帯にも便利で且つ室内の小範囲のゴミ取りにも適した簡易ゴミ取り具及び簡易ゴミ取り具の製造方法を提供することができる。
【図面の簡単な説明】
【００１７】
【図１】本発明の第１の実施の形態に係る簡易ゴミ取り具の製造工程を示す図である。
【図２】紫外線硬化性インキのドットパターンの一例を示す平面図である。
【図３】図１のＸ１−Ｘ１線での断面図である。
【図４】図１の製造工程で作製された簡易ゴミ取り具の斜視図である。
【図５】第２の実施の形態に係る簡易ゴミ取り具の製造工程を示す図である。
【図６】第２の実施の形態に係る簡易ゴミ取り具の製造工程における各段階での断面を示す図で、（ａ）は図５のＸ２−Ｘ２線での断面図、（ｂ）はＸ３−Ｘ３線での断面図である。
【図７】第３の実施の形態に係る簡易ゴミ取り具を示す平面図である。
【図８】図７で示した簡易ゴミ取り具の本体の裏面図である。
【発明を実施するための形態】
【００１８】
本発明の実施の形態に係る簡易ゴミ取り具及びその製造方法を図面にしたがって説明する。
まず、図１から図４を参照して第１の実施の形態を説明する。図１は、簡易ゴミ取り具１の製造工程を示す図である。シート状の紙材（基材）の一方の面の全面に粘着剤が塗布されて粘着層が形成された市販の粘着ロール３が軸５に回転可能に支持され、粘着ロール３から繰り出された粘着シート７は巻き取り軸９に不図示の芯材を介して巻き取られる。
粘着シート７の粘着面に対向して、該粘着面に非粘着材を点在状態に塗布するインキローラ１１が設けられ、該インキローラ１１の反対側には支持ローラ１３が設けられている。
本実施の形態におけるインキローラ１１は、回転しながら非粘着材としての透明な紫外線硬化性インキを図２に示すドットパターン状に塗布する構成を有している。粘着シート７の搬送方向（矢印方向）におけるインキローラ１１の下流側には、塗布された紫外線硬化性インキを硬化させるための紫外線ランプ１５が配置されている。簡易ゴミ取り具の製造環境に紫外線を照射する常設光源があり、それが塗布インキの硬化に寄与している場合には、紫外線ランプ１５は必ずしも必要ではない。
【００１９】
紫外線ランプ１５の下流側には、粘着シート７の非粘着面を支持する支持ローラ１７と、粘着面側に配置されて粘着シート７の搬送方向と直交する方向に切り取り線としてのミシン目を入れる回転刃１９が設けられている。
回転刃１９は粘着シート７が所定距離搬送されたときに降りて搬送方向と直交する方向に移動しながらミシン目を入れ、搬送方向と直交する幅方向の終端で所定高さ上昇して停止するように不図示の駆動機構及び制御手段で制御される。
【００２０】
紫外線硬化性インキが硬化した後の粘着シート７の断面を図３に示す。ドット状の紫外線硬化性インキ２１が粘着層２３を点在状態で覆うことにより、覆われた部分は粘着力が消失する。即ち、粘着層２３の表面は紫外線硬化性インキ２１の塗布により部分的に被覆され、露出部２３ａのみが粘着面となる。したがって、ドットの形状や大きさ、パターン形状を変えることにより粘着層２３の粘着力の強さを任意に調整することができる。図３では分かり易くするために紫外線硬化性インキ２１の各ドットを誇張表示している。図３において、符号２５は紙材を示している。
【００２１】
上述のように、粘着層２３自体を改質して粘着力を調整する場合には化学的処方が必要なためにコストアップに繋がるが、紫外線硬化性インキ２１等の非粘着材を付与して部分的に粘着力を消失させるようにすれば、市販の粘着ロールを利用でき、非常に経済的となる。
図４に本実施の形態により製造された簡易ゴミ取り具１を示す。簡易ゴミ取り具１は、巻き取り軸９に巻き取られる粘着シート７の量が所定の大きさになったときに切り離されることにより１つの製品となる。
所定の大きさは、携帯に便利なサイズ、即ち、幅Ｗと直径Ｄがポケットやバッグに入れて嵩張らずに持ち歩ける適宜の大きさである。
【００２２】
簡易ゴミ取り具１を使用する場合には、粘着シート７を繰り出してミシン目２７の部分で切り離し、例えば切り離した矩形の紙片の粘着面を親指と薬指で支え、非粘着面を人差し指と中指で支えて衣服のゴミが付いている部分をパッティングすることにより簡単に埃や糸屑等のゴミ取りができる。テーブルの表面にゴミが付着している場合でも、上記と同様に簡単に取り除くことができ、粘着力が強すぎることがないので、簡易ゴミ取り具１の一部がテーブルの表面に貼り付いて取れなくなるという不具合もない。使用済みの紙片は使い捨てとなる。
【００２３】
図４に示すように、簡易ゴミ取り具１は他方の面にシリコーン加工が施されて非粘着面２５ａが形成されている。この非粘着面２５ａが外側となるようにロール状に巻回されているので、紙材２５の非粘着面２５ａは粘着層２３の表面を覆う剥離材としてなる。
粘着層２３の粘着力が強すぎると、布製のガムテープ等で日常経験しているように、非粘着面２５ａに対する接着力が強すぎて粘着シート７の繰り出し（剥離）がなかなかできない場合もあるが、本実施の形態では上記のように部分的に粘着面の粘着力を殺しているので、非粘着面２５ａに対する粘着層２３の接着力も弱く、簡単に繰り出しができる。
基材を合成樹脂にすればロール状における粘着層２３の剥離性を向上させることができるが、コストアップとなる。本実施の形態では上記のように部分的に粘着面の粘着力を殺しているので紙製の基材でも十分な剥離性を得ることができ、文字通り簡易ゴミ取り具としての用途に沿ったリーズナブルな製品とすることができる。
【００２４】
図５及び図６を参照して第２の実施の形態を説明する。上記実施の形態と同一部分は同一符号で示し、既にした構成上及び機能上の説明は適宜省略する。
上記のように、粘着層２３の表面に非粘着材を点在させることにより粘着力を低下させることができるが、ロール状態からの剥離性とゴミ取り機能の粘着力との両立が難しい場合がある。すなわち、ロール状態からの良好な剥離性を同時に得るべく粘着層２３の粘着力を低下させると、良好なゴミ取り機能を得るための粘着力が得られない場合がある。本実施の形態ではこの問題を解消することを目的としている。
【００２５】
図５に示すように、粘着ロール３（不図示）から繰り出された粘着シート７は、その粘着層２３に台紙２９を貼り合わされた状態で供給され、分離ローラ対３１の部位で分離される。Ｘ２−Ｘ２線での断面を図６（ａ）に示す。分離後、粘着シート７は表面に微小な凹凸が付与された剥離ローラ３３で粘着面側を支持されて搬送され、インキローラ１１で非粘着材としての紫外線硬化性インキ２１をドットパターン状に塗布される。粘着シート７は紫外線硬化性インキ２１を紫外線ランプ１５で硬化された後、支持ローラ３５で支持されて搬送される台紙２９と再び合流ローラ対３７の部位で貼り合わされ、搬送される。Ｘ３−Ｘ３線での断面を図６（ｂ）に示す。
その後、支持ローラ３９で支持されながら非粘着面２５ａにインキローラ１１で非粘着材としての紫外線硬化性インキ２１をドットパターン状に塗布される。粘着シート７は非粘着面２５ａに付与された紫外線硬化性インキ２１を紫外線ランプ１５で硬化された後、ミシン目を入れられ、支持ローラ４１の部位で台紙２９と分離されて巻き取り軸９に巻き取られる。なお、台紙２９は粘着シート７とは別に巻き取り軸４３に巻き取られ、再利用に供される。
【００２６】
本実施の形態では、粘着層２３に対する紫外線硬化性インキ２１の付与は、良好なゴミ取り機能を得る観点からドットパターン形状が設定されており、非粘着面２５ａに対する紫外線硬化性インキ２１の付与は、ロール状態からの繰り出しを容易にする剥離性を得る観点からドットパターン形状が設定されている。
台紙２９を貼り合わせているため、非粘着面２５ａに対する紫外線硬化性インキ２１の付与に係る搬送及びミシン目入れが容易となる。台紙２９の貼り合わせ位置は、合流ローラ対３７の下流側を始端としてもよく、支持ローラ３９を配置せずに回転刃１９の上流近傍から貼り合わせてミシン目入れだけに寄与するようにしてもよい。
【００２７】
上記の各実施の形態では、ロール状の簡易ゴミ取り具を例示したが、本発明はこれに限定されない。例えば本出願人が特許文献２で提案した携帯埃取り具においても、本発明に係る簡易ゴミ取り具として実施可能である（第３の実施の形態）。
この簡易ゴミ取り具４５は、図７及び図８に示すように、紙材からなる円形シート状の本体４７の粘着面を剥離シート４９に貼り付けて構成されている。本体４７には、その外縁より内側の領域に左右方向へ延びる指挿入用の切込み５１が形成されている。切込み５１は本体４７の縁に沿うようにほぼ円弧状に湾曲しており、その両端部５１ａ、５１ｂは本体４７の縁に向って突出し、且つ渦巻き状に形成されている。
本体４７の表面（非粘着面）は文字５３、図形５５が印刷された表示部５７となっている。図８に示すように、本体４７の裏面には、切込み５１を境にして前方側（図中上側）の領域（一点鎖線の斜線を引いた領域）に粘着層５９が設けられており、切込み５１を境にして後方側（図中下側）の領域に非粘着部６１が設けられている。粘着層５９には上記と同様の手法により、非粘着材の一例としての紫外線硬化性インキ２１が点在状態（ドット状）に付与されて硬化しており、部分的に粘着力が消失している。
【００２８】
簡易ゴミ取り具４５の使用方法を簡単に説明すると、本体４７の後端部（非粘着部６１）を摘んで持ち上げて、非粘着部６１を剥離シート４９から離間させる。これにより、非粘着部６１だけが切込み５１を境に持ち上がり、指挿入用の開口が形成される。この開口に一方の手の人差し指、中指及び薬指を挿入し、もう一方の手で剥離シート４９を剥離することにより粘着層５９が露出して衣服等に付いたゴミを除去することが可能となる。
【００２９】
粘着層５９の粘着力が強すぎると、剥離シート４９を剥離するときに剥離力が大きくなるために切込み５１の両端部５１ａ、５１ｂの一方又は両方が引き裂かれてしまう虞があるが、上記のように粘着層５９には非粘着材が点在状態で付与されてその粘着力が弱められているので、本体４７を紙材によって構成しても切込み５１が破断して使用不可となる虞もない。
簡易ゴミ取り具４５は、シート状で嵩張らないので衣服のポケットなどに入れて持ち歩くことができ、便利である。また、表示部５７に企業名やその図形商標当を印刷することができるので、企業の広告宣伝用の配布物としても有効に利用することができる。
【００３０】
以上、本発明の実施の形態について詳述してきたが、具体的構成は、この実施の形態に限られるものではなく、本発明の要旨を逸脱しない範囲における設計の変更などがあっても発明に含まれる。
例えば、紫外線硬化性インキは透明でなくてもよい。また、ドット形状は円形でなくてもよい。
【符号の説明】
【００３１】
１…簡易ゴミ取り具        ２１…紫外線硬化性インキ        ２３…粘着層
２５…紙材                  ２５ａ…非粘着面                ２９…台紙
【図１】
2019097581.tif 000003
【図２】
2019097581.tif 000004
【図３】
2019097581.tif 000005
【図４】
2019097581.tif 000006
【図５】
2019097581.tif 000007
【図６】
2019097581.tif 000008
【図７】
2019097581.tif 000009
【図８】
2019097581.tif 000010